(57)【要約】【課題】オートクレーブによる消毒が可能な手鏡を提供することを課題とする。【解決手段】手鏡１は、一面に鏡面２ａが設けられた鏡部２及び鏡部２の外縁の一部から外側に延伸する支持部３を備え、鏡部２と支持部３とはステンレス鋼から一体成形されることを特徴とする。鏡部２と支持部３とがステンレス鋼から一体成形されることで、耐久性に優れ、高温高圧の飽和水蒸気による滅菌処理により破損することなく繰り返し利用することができる。【選択図】図１
0003203368.tif 000002
【実用新案登録請求の範囲】
【請求項１】
一面に鏡面が設けられた鏡部と、
前記鏡部の外縁の一部から外側に延伸する支持部と、
を備え、前記鏡部と前記支持部とはステンレス鋼から一体成形されることを特徴とする、手鏡。
【請求項２】
前記鏡部の前記鏡面は、前記ステンレス鋼の表面であることを特徴とする、請求項１に記載の手鏡。
【請求項３】
前記鏡部と前記支持部との少なくとも一方は、ＳＵＳ３１６Ｌを含むことを特徴とする、請求項１又は２に記載の手鏡。
【請求項４】
前記鏡部と前記支持部との両方は、ＳＵＳ３１６Ｌであることを特徴とする、請求項３に記載の手鏡。
【請求項５】
前記鏡部は、前記鏡面を挟む一軸方向の一側と他側とのそれぞれの端部が前記鏡面の法線方向に曲げられていることを特徴とする、請求項１から４のいずれか一項に記載の手鏡。
【請求項６】
前記一軸方向は、前記鏡面と前記支持部とを結ぶ方向と交差することを特徴とする、請求項５に記載の手鏡。
【請求項７】
前記鏡部は、略矩形状を有し、前記一軸方向の一側と他側のそれぞれの辺部が前記鏡面の法線方向に曲げられていることを特徴とする、請求項５又は６に記載の手鏡。
【考案の詳細な説明】
【技術分野】
【０００１】
本考案は、手鏡に関する。
【背景技術】
【０００２】
歯科医院等において、医師が患者に自身の口内を見せるために手鏡を使用させることがある。しかし、他の患者が使用した手鏡を使用することを嫌がる患者もいる。そこで、患者ごとに手鏡を交換し、使用済みの手鏡は消毒して再度使用することが考えられる。ここで、通常、歯科用器具は、オートクレーブ（例えば、特許文献１参照）を用いて高温高圧（例えば２気圧で１２０℃）の飽和水蒸気による滅菌処理を施す。
【０００３】
しかし、手鏡をオートクレーブで消毒するには、以下の問題がある。鏡面が通常はガラスであり、オートクレーブによる消毒において、鏡面に温度差が発生し、ガラスの熱割れが発生してしまう。このため、手鏡については、オートクレーブによる消毒を行うことができず、アルコール洗浄その他の労力を有する方法で消毒せざるをえない。しかも、アルコール消毒等では滅菌ができない可能性がある。例えばノロウイルスはアルコール消毒によっては十分に滅菌できない。
【先行技術文献】
【特許文献】
【０００４】
【特許文献１】特開２００７−１５９９９０号公報
【考案の概要】
【考案が解決しようとする課題】
【０００５】
本考案は、オートクレーブによる消毒が可能な手鏡を提供することを課題とする。
【課題を解決するための手段】
【０００６】
本考案は、一面に鏡面が設けられた鏡部と、鏡部の外縁の一部から外側に延伸する支持部と、備え、鏡部と支持部とはステンレス鋼から一体成形されることを特徴とする、手鏡である。
【０００７】
これによれば、一面に鏡面が設けられた鏡部とこの外縁の一部から外側に延伸する支持部とがステンレス鋼から一体成形されることで、熱割れがなく耐久性に優れ、オートクレーブによる消毒（高温高圧の飽和水蒸気による滅菌処理）により破損することなく繰り返し利用することができる。
【０００８】
本考案の手鏡は、鏡部の鏡面は、ステンレス鋼の表面であることを特徴とする。
【０００９】
これによれば、鏡部の鏡面は、鏡部の一面を鏡面加工することにより、ステンレス鋼以外の素材を含むことなく構成されることで、熱割れのリスクがさらに低下する。
【００１０】
本考案の手鏡は、鏡部と支持部との少なくとも一方は、ＳＵＳ３１６Ｌを含むことを特徴とする。
【００１１】
これによれば、鏡部と支持部との少なくとも一方がＳＵＳ３１６Ｌを含むことで、これを使用する者の金属アレルギー反応を抑えることができる。なお、メス等の医療器具において金属アレルギーを考慮してＳＵＳ３１６Ｌが使用されている。歯科用の手鏡も同様にＳＵＳ３１６Ｌを使用することが好ましい。
【００１２】
本考案の手鏡は、鏡部と支持部との両方が、ＳＵＳ３１６Ｌであることを特徴とする。
【００１３】
これによれば、鏡部と支持部との両方がＳＵＳ３１６Ｌであることで、手鏡全体を一体成型することができる。
【００１４】
本考案の手鏡は、鏡部は、鏡面を挟む一軸方向の一端と他端とのそれぞれの一部が鏡面の法線方向に曲げられていることを特徴とする。
【００１５】
これによれば、鏡面を挟む一軸方向の一端と他端とのそれぞれの一部が鏡面の法線方向に曲げられていることで、手鏡を落とした際に、鏡部の２つの端部により鏡面を保護することができる。
【００１６】
本考案の手鏡は、一軸方向は、鏡面と支持部とを結ぶ方向と交差することを特徴とする。
【００１７】
これによれば、鏡面と支持部との間に曲げられた部分がなく、端部のみを曲げることで生産が容易である。
【００１８】
本考案の手鏡は、鏡部は、略矩形状を有し、一軸方向の一側と他側のそれぞれの辺部が鏡面の法線方向に曲げられていることを特徴とする。
【００１９】
これによれば、略矩形状の一軸方向の一側と他側のそれぞれの辺部が鏡面の法線方向に曲げられていることで、鏡面は曲げられた部分の間に存在し、鏡面を確実に保護することができる。
【考案の効果】
【００２０】
本考案の手鏡によれば、オートクレーブによる消毒が可能な手鏡を提供することが可能となる。
【図面の簡単な説明】
【００２１】
【図１】図１は、手鏡の構成を示す図である。
【考案を実施するための形態】
【００２２】
以下、本考案の一実施形態について説明する。
【００２３】
図１に、本実施形態に係る手鏡１の構成を示す。図１（Ａ）及び図１（Ｂ）は、それぞれ上方及び正面から示す上面図及び正面図である。ここで、図１（Ａ）及び図１（Ｂ）における左右方向を横方向、図１（Ｂ）における上下方向を縦方向とする。手鏡１は、鏡部２及び支持部３を含んで構成される。
【００２４】
鏡部２は、一面に鏡面２ａを有する部分である。鏡部２は、一例としてステンレス鋼を用いて略矩形状の板状に成形され、表面を研磨するなど鏡面加工することにより鏡面２ａが設けられている。ステンレス鋼以外の素材を含むことなく鏡面２ａが構成されることで、オートクレーブによる消毒で破損することなく繰り返し利用することができる。
【００２５】
鏡部２は、鏡面２ａを挟む横方向の一側と他側のそれぞれの辺部２ｂ，２ｃが鏡面２ａの法線方向（図１（Ｂ）における手前側）に曲げられている。それにより、手鏡１を落とした際に、２つの辺部２ｂ，２ｃにより鏡面２ａを保護することができる。
【００２６】
支持部３は、ユーザが手指でこれを掴むことで手鏡１を支持するための部分である。支持部３は、鏡部２と同じ素材から構成され、鏡部２の外縁の下辺中央から縦方向を下向きに延伸して、縦方向を長手とする等脚台形状に成形されている。支持部３の下辺近傍には円形の開口３ａが形成されている。開口３ａに、手鏡１をフック等に掛けるための紐部材等を通すことができる。
【００２７】
ここで、支持部３は、鏡部２の鏡面２ａに対して縦方向の下側に設けられ、鏡面２ａと支持部３とを結ぶ方向は横方向と交差する。それにより、手鏡を落とした際に、鏡部の２つの辺部２ｂ，２ｃと支持部３により鏡面２ａを保護することができる。
【００２８】
鏡部２と支持部３との少なくとも一方を構成するステンレス鋼は、ＳＵＳ３１６Ｌを含むこととしてよい。それにより、ユーザの金属アレルギー反応を回避することができる。
【００２９】
以上詳細に説明したように、本実施形態に係る手鏡１は、一面に鏡面２ａが設けられた鏡部２及び鏡部２の外縁の一部から外側に延伸する支持部３を備え、鏡部２と支持部３とはステンレス鋼から一体成形されることを特徴とする。鏡部２と支持部３とがステンレス鋼から一体成形されることで、耐久性に優れ、高温高圧の飽和水蒸気による滅菌処理により破損することなく繰り返し利用することができる。
【００３０】
なお、鏡部２は、矩形状に限らず円形状等の任意の形状に成形してよい。係る場合、鏡面２ａを挟む鏡部２の横方向の一端と他端のそれぞれの一部が鏡面２ａの法線方向に曲げられるものとしてよい。それにより、手鏡１を落とした際に、鏡部２の２つの端部により鏡面２ａを保護することができる。
【産業上の利用可能性】
【００３１】
本考案の手鏡は、オートクレーブによる消毒が可能であり、多くの歯科医院における利用が考えられる。
【符号の説明】
【００３２】
１    手鏡
２    鏡部
２ａ  鏡面
２ｂ  辺部
２ｃ  辺部
３    支持部
３ａ  開口
【図１】
0003203368.tif 000003